【手続補正書】
【提出日】平成20年2月1日(2008.2.1)
【手続補正１】
【補正対象書類名】明細書
【補正対象項目名】特許請求の範囲
【補正方法】変更
【補正の内容】
【特許請求の範囲】
【請求項１】  合成ガス発生室内で合成ガスを製造するための、高融点材料から作られた環状遮熱材によって熱ガス腐食から保護されている冷却水ジャケット面を有する、バーナーノズルアセンブリであって、環状遮熱材の一方の表面又は冷却水ジャケット面から伸びる、他方の表面の整列された溝内の嵌合ねじと対応して噛み合って環状遮熱材を冷却水ジャケット面に固定するねじ込み保持手段によって特徴づけられるバーナーノズルアセンブリ。
【請求項２】  合成ガス発生室内での炭素質燃料の部分酸化により合成ガスを製造するための、炭素質燃料及び酸素含有流を合成ガス発生室内へ流入させるバーナー出口を含む、バーナーノズルアセンブリであって、
バーナー出口を同心的に取り囲み且つこれに隣接し、そして合成ガス発生室に対面する環状表面を有する冷却室、
環状表面に隣接する内側表面及び合成ガス発生室の方に位置する外側表面を有する遮熱材並びに
遮熱材を環状表面に隣接して固定するねじ込み保持手段
によって特徴づけられるバーナーノズルアセンブリ。
【請求項３】  保持手段が、環状表面又は内側表面の少なくとも一方から伸びているねじ込み突起及び他方の表面上の環状溝を含んでなり、そして環状溝が対峙しかつ実質的に平行である壁を有し、ねじ込み突起及び環状溝が互いに協同的に整列されており、壁の少なくとも一方に、対応する嵌合ねじが含まれる請求項２に記載のバーナーノズルアセンブリ。
【請求項４】  ねじ込み突起が内側表面及び外側表面を有するリングであり、そしてねじが外側表面上に存在する請求項３に記載のバーナーノズルアセンブリ。
【請求項５】  ねじ込み突起が内側表面及び外側表面を有するリングであり、そしてねじが内側表面上に存在する請求項３に記載のバーナーノズルアセンブリ。
【請求項６】  保持手段が、複数個の、環状表面又は内側表面の少なくとも一方から伸びるねじ込み突起及び他方の表面上の環状溝を含んでなり、環状溝が対峙し実質的に平行である壁を有し、複数個のねじ込み突起及び環状溝が互いに協同的に整列されており、そして壁の少なくとも一方に、対応する嵌合ねじが含まれる請求項２に記載のバーナーノズルアセンブリ。
【請求項７】  複数個のねじ込み弧状突起が円形形状に均等に配置されている請求項６に記載のバーナーノズルアセンブリ。
【請求項８】  ねじ込み突起が環状表面上に配置され、そして環状溝が内側表面内に存在する請求項３に記載のバーナーノズルアセンブリ。
【請求項９】  ねじ込み突起が内側表面上に配置され、そして環状溝が環状表面内に存在する請求項３に記載のバーナーノズルアセンブリ。
【請求項１０】  保持手段が、
対峙し実質的に平行である第一対の壁（但し第一対の壁の少なくとも一方は、嵌合ねじを含む）を有する環状表面内の第一環状溝、
対峙し実質的に平行である第二対の壁（但し第二対の壁の少なくとも一方は、嵌合ねじを含む）を有する、内側表面内の第二環状溝並びに
第一環状溝及び第二環状溝の壁内のねじと噛み合うように適合されたねじ込み嵌合手段
を含んでなる請求項２に記載のバーナーノズルアセンブリ。
【請求項１１】  ねじ込み嵌合手段が、内側表面及び外側表面を有するリングであり、そしてねじが外側表面上に存在する請求項１０に記載のバーナーノズルアセンブリ。
【請求項１２】  ねじ込み嵌合手段が、内側表面及び外側表面を有するリングであり、そしてねじが内側表面上に存在する請求項１０に記載のバーナーノズルアセンブリ。
【請求項１３】  ねじ込み嵌合手段が、内側表面及び外側表面を有するリングであり、そしてねじが内側表面及び外側表面の両方の上に存在する請求項１０に記載のバーナーノズルアセンブリ。
【請求項１４】  遮熱材が、窒化ケイ素、炭化ケイ素、ジルコニア系セラミック、モリブデン、タングステン及びタンタルからなる群から選択された、高い熱伝導度係数を有する材料を含む請求項２に記載のバーナーノズルアセンブリ。
【請求項１５】  合成ガス発生室内での炭素質燃料の部分酸化により合成ガスを製造するための、炭素質燃料及び酸素含有流を合成ガス発生室内へ流入させるバーナー出口を含む、バーナーノズルアセンブリであって、
バーナー出口を同心的に取り囲み且つこれに隣接し、そして合成ガス発生室に対面する環状表面を有する冷却室（但し環状表面はねじ込み環状突起を含む）並びに
環状表面に隣接する内側表面及び合成ガス発生室の方に位置する外側表面を有する遮熱材（但し遮熱材は対峙し実質的に平行である壁を有する環状溝を有し、その壁の少なくとも一方は対応する嵌合ねじを含み、ねじ込み環状突起及び環状溝は、互いに協同的に整列されており、それによって遮熱材を環状表面に固定することができる）
によって特徴づけられるバーナーノズルアセンブリ。
【請求項１６】  ねじ込み環状突起が内側表面及び外側表面を有するリングであり、そしてねじが外側表面上に存在する請求項１５に記載のバーナーノズルアセンブリ。
【請求項１７】  ねじ込み環状突起が内側表面及び外側表面を有するリングであり、そしてねじが内側表面上に存在する請求項１５に記載のバーナーノズルアセンブリ。
【請求項１８】  ねじ込み環状突起が円形形状に均等に配置されている複数個のねじ込み弧状突起からなる請求項１５に記載のバーナーノズルアセンブリ。
【請求項１９】  合成ガス発生室内での炭素質燃料の部分酸化により合成ガスを製造するための、炭素質燃料及び酸素含有流を合成ガス発生室内へ流入させるバーナー出口を含む、バーナーノズルアセンブリに於いて、
バーナー出口を同心的に取り囲み且つこれに隣接し、そして合成ガス発生室に対面する環状表面を有する冷却室（但し環状表面は環状表面から突き出たねじ込みリングを含む）並びに
環状表面に隣接する内側表面及び合成ガス発生室の方に位置する外側表面を有する遮熱材（但し遮熱材は、対峙し実質的に平行である壁を有する環状溝を有し、その壁の少なくとも一方は対応する嵌合ねじを含み、ねじ込みリング及び環状溝は互いに協同的に整列されており、それによって遮熱材を環状表面に固定することができる）
を含んでなる改良されたバーナーノズルアセンブリ。
【請求項２０】  リングが内側表面及び外側表面を有し、そしてそのねじが外側表面上に存在する請求項１９に記載のバーナーノズルアセンブリ。
【請求項２１】  リングが内側表面及び外側表面を有し、そしてそのねじが内側表面上に存在する請求項１９に記載のバーナーノズルアセンブリ。
【請求項２２】  リングが円形形状に均等に配置されている複数個の弧状突起からなる請求項１９に記載のバーナーノズルアセンブリ。
【手続補正２】
【補正対象書類名】明細書
【補正対象項目名】００３０
【補正方法】変更
【補正の内容】
【００３０】
本発明の遮熱材７６は、第一表面８４及び反対側の第二表面８６を含む。第一表面８４は、冷却ジャケット６０の環状表面７２に隣接して、望ましくはこれと接触して配置されるように適合されており、第二表面８６は、燃焼室１６の方に配置されている。遮熱材７６は、第一表面８４内に形成された環状溝８８を有する。溝８８は、それぞれ内側壁９０及び外側壁９２を、実質的に平行に対峙させることによって規定される。図３Ｂ及び３Ｃから明らかなように、溝８８は、ねじ込み突起７４と合致するように配置されており、実質的に、突起７４の高さＨに対応する深さを有する。望ましくは、溝８８の深さは、冷却ジャケットの環状表面７２が遮熱材の第一表面８４と接触することを確実にするために、突起の高さＨよりも僅かに大きい。これによって、遮熱材７６から、冷却流体ジャケット６０内を循環する冷却水への熱移動が容易になる。溝８８の壁９０又は９２の少なくとも一方には、突起上のねじ８２と協同的に噛み合うように適合されたねじ９４が含まれており、それによって遮熱材７６を環状表面７２の近くに固定し、保持する。
【手続補正３】
【補正対象書類名】明細書
【補正対象項目名】００３５
【補正方法】変更
【補正の内容】
【００３５】
ねじ込み突起１０２は、内側表面１１０及び外側表面１１２を含む。ねじ込み突起１０２は、内側表面１１０及び／又は外側表面１１２の少なくとも一方に、一組のねじ１１４を含む。
【手続補正４】
【補正対象書類名】明細書
【補正対象項目名】００４０
【補正方法】変更
【補正の内容】
【００４０】
ねじ込み保持リング１３８は、それぞれ、溝１２０及び１３０のねじ１２６及び１３６と協同的に噛み合う、嵌合ねじ１４０を含む。ねじ１４０は、保持リング１３８の内側表面１４２、外側表面１４４又は表面１４２及び１４４の両方に配置することができる。好ましくは、ねじ１４０は、保持リング１３８の外側表面１４４に配置されている。それは、これによって、嵌め合い表面全ての製造が容易になるからである。